【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
第一バス越しに第二バスまでアクセスを拡張するためのプロセッサによりアクセス可能なブリッジであって、該第一バスおよび第二バスは、それぞれ複数のバスコンパティブルな装置のそれぞれに別々に接続するよう適合されており、該ブリッジは、
リンクと、
該第一バスと該リンクの間を結合するよう適合された第一インターフェースと、
該第二バスと該リンクの間を結合するよう適合された第二インターフェースと、
を備え、
前記第一インタフェース及び前記第二インタフェースは、前記第一バス及び前記第二バスのものとは異なるフォーマットで、前記リンクを介してシリアルに情報転送するように動作可能であり、
前記第一インタフェースは、前記情報の転送を開始するために前記リンクを介して前記第二インターフェースから第二のアクノリッジメントを受信することなく前記情報転送を開始するよう動作可能であり、
前記第二インタフェースは、前記情報の転送を開始するために前記リンクを介して前記第一インターフェースから第一のアクノリッジメントを受信することなく前記情報転送を開始するよう動作可能である、ブリッジ。
【請求項２】
該バスコンパティブルな装置の一部はメモリ装置と入力／出力装置を含み、該第一インターフェースと該第二インターフェースは、（ａ）該ブリッジ越しの宛先を意味する特徴を有するペンディングとなっているバストランザクションに応答して該第一バスと第二バスの間でのやり取りを開始することを容認し、（ｂ）該第一バスを介して通信する該プロセッサが、
（ｉ）該第一バス上の装置にアクセスするために使用されるものと実質的に同じタイプのアドレス指定を該第一バス上で使用し、
（ii）該第二バス上の第二のバスコンパティブルな装置を最初に介在させることなく、
存在し得るメモリ装置と入力／出力装置を含む該第二バス上のバスコンパティブルな装置の選択可能な異なるものに対して個々にアドレス指定することを許すよう動作可能である、請求項１に記載のブリッジ。
【請求項３】
該第一インターフェースと第二インターフェースは、該第一バスに該第二バスよりも高いレベルを与える予め定められた階層構造に従って、該第一バスと第二バスの間で情報交換可能である請求項１に記載のブリッジ。
【請求項４】
該第一インターフェースと該第二インターフェースは、（ａ）該第一バスに該第二バスより高いレベルを与える予め定められた階層構造に従って、該第一バスと該第二バスの間で情報を交換し、（ｂ）該第一バスを介して通信する該プロセッサが、
（ｉ）該第一バス上の装置にアクセスするために使用されるものと実質的に同じタイプのアドレス指定を該第一バス上で使用し、
（ii）該第二バス上の第二バスコンパティブルな装置を最初に介在させることなく、
（iii）該情報が中間的な階層レベルを経由することなく、
存在し得るメモリ装置と入力／出力装置を含む該第二バス上のバスコンパティブルな装置の選択可能な異なるものに対して個々にアドレス指定することを許すよう動作可能である、請求項１に記載のブリッジ。
【請求項５】
該第一バスと第二バスはバスコンパティブルな装置がバス通信を交渉することを可能にする複数の信号線をもち、該第一インターフェースは、該第一バス上のペンディングとなっているトランザクションに応答して該第一バス上のペンディングとなっているトランザクションが該第二バスへ送信され該第二バスによりアクノリッジされる前に該ペンディングとなっているトランザクションの処理を開始し、該第一バス上の信号線の少なくとも一つにリトライ信号を印加するように動作可能であることを特徴とする請求項１、２もしくは４に記載のブリッジ。
【請求項６】
該第一バスの信号線上にあるすべての情報より少ない情報が該第一インターフェースにより該リンク越しに送信される請求項５に記載のブリッジ。
【請求項７】
該第一インターフェースは、該第一バス上に現われるアドレスのうち、該第二バスを介してアクセス可能なバスコンパティブルな装置に対応するアドレスの予め決められた一覧にあるものに選択的に応答し、該第一バス上のそれ以外のバスコンパティブルな装置に対応するアドレスに応答することのないようする請求項１、２もしくは４に記載のブリッジ。
【請求項８】
該予め決められた一覧を蓄積するレジスタを備える請求項７に記載のブリッジ。
【請求項９】
該第一インターフェースは該予め決められた一覧を記憶する第一レジスタを備え、該第二インターフェースは、予め決められた一覧を記憶する第二レジスタを備える請求項７に記載のブリッジ。
【請求項１０】
該レジスタは該第二バス上の一つもしくはそれ以上のバスコンパティブルな装置のベースアドレスを該第一バスに対して定めるように動作できることを特徴とする請求項８のブリッジ。
【請求項１１】
該第二バス上のバスコンパティブルな一つもしくはそれ以上の装置のベースアドレスを該第一バスに対して定めるためのレジスタを備える請求項１、２もしくは４に記載のブリッジ。
【請求項１２】
該第一インターフェースと該第二インターフェースは、該第一バスを経由することなく該第二バス上のバスコンパティブル装置間で通信することを可能にする請求項１、２もしくは４に記載のブリッジ。
【請求項１３】
該第二インターフェースもしくは該第二バス上のバスコンパティブルな装置のいずれか一つに対して、第二バスの使用の許可を与える権限をもつが、第一バスの使用の許可を与える権限がない調停装置を備える請求項１２に記載のブリッジ。
【請求項１４】
第一インターフェースおよび第二インターフェースは、該リンクと該第一バスおよび第二バスの間に接続された第一および第二プログラマブル装置を備える請求項１、２もしくは４に記載のブリッジ。
【請求項１５】
該第一インターフェースと該第二インターフェースは該リンクと該第一バスおよび該第二バスの間にそれぞれ接続される第一および第二アプリケーションスペシフィック集積回路装置を備える請求項１、２、もしくは４に記載のブリッジ。
【請求項１６】
第一および第二アプリケーションスペシフィック集積回路装置は同じ構成であり、それぞれは２つのモードの一つに動作を確立する制御信号を受け取るための制御ピンをもつ請求項１５に記載のブリッジ。
【請求項１７】
第一と第二のアプリケーションスペシフィック集積回路装置のそれぞれは、該第二アプリケーションスペシフィック集積回路装置であるときのみ有効化され、該第二インターフェースもしくは該第二バス上のバスコンパティブルな装置のいずれか１つに対して、該第二バスの使用の許可を与える権限をもち、該第一バスの使用の許可を与える権限をもたない調停装置を備える、請求項１６に記載のブリッジ。
【請求項１８】
第一および第二のアプリケーションスペシフィック集積回路装置は、複数の入力／出力ボートを備える該第二インターフェースに結合される複数のポート手段を備える請求項１５に記載のブリッジ。
【請求項１９】
該プロセッサは割り込み駆動され、該プロセッサに割り込みをかけるための割り込み信号を、該第二インターフェースが該リンクを介して該第一インターフェースに送信できるものである請求項１、２もしくは４に記載のブリッジ。
【請求項２０】
該プロセッサは、エラー信号に応答するものであり、該第二インターフェースは該リンクを介して該プロセッサあてのエラー信号を送信する請求項１９に記載のブリッジ。
【請求項２１】
該第一バスは予めきめられたクロック速度で動作し、該リンクは該第一のインタフェースと該予め決められたクロック速度よりビット転送レートの大きい該第二インターフェースとの間のデータを伝搬するリンクである請求項１、２もしくは４に記載のブリッジ。
【請求項２２】
一組の該リンクは反対方向に情報を送る一組の単方向リンクである請求項２１に記載のブリッジ。
【請求項２３】
該単方向リンクは異なる信号転送のためにドライブされる請求項２２に記載のブリッジ。
【請求項２４】
第二バスはＰＣＩバスである請求項１、２もしくは４に記載のブリッジ。
【請求項２５】
該第二インターフェースは、初期読み出しリクエストを表す該リンクからのトランザクションに応答して、ペンディングとなっているトランザクションおよび予期されるトランザクションを満足させる目的で該リンク越しで返送するために、該第二バス上のバスコンパティブルな装置のうちの要求にかなうものからデータをフェッチおよびプリフェッチするよう動作可能である請求項１、２もしくは４に記載のブリッジ。
【請求項２６】
第一インターフェースおよび第二インターフェースは、該第二バス上の少なくとも一つのバスコンパティブルな装置が、該第二バス上の装置にアクセスするために使用されるのと実質的に同じタイプのアドレス指定を該第二バス上で使用して該第一バス上の一つもしくはそれ以上のバスコンパティブルな装置をアドレス指定することを許可するように動作できる請求項１、２もしくは４に記載のブリッジ。
【請求項２７】
第一バス越しに第二バスまでアクセスを拡張するためのプロセッサによりアクセス可能なブリッジであって、該第一バスおよび第二バスは、それぞれ複数のバスコンパティブルな装置のそれぞれに別々に接続するよう適合されており、該ブリッジは、
リンクと、
該第一バスと該リンクの間を結合するよう適合された第一インターフェースと、
該第二バスと該リンクの間を結合するよう適合された第二インターフェースと、
を備え、
該第一インタフェースと該第二インタフェースとが、該リンク越しでの情報の転送を開
始する前に該リンク越しで到来するアクノリッジメントを待つことなく、該第一バスと該
第二バスのものと異なるフォーマットで該リンク越しでシリアルに該情報を転送するよう
動作可能であり、
前記第一インターフェース及び前記第二インターフェースは、前記第一バスを経由することなく、前記第二バス上の前記複数のバスコンパティブルな装置の間での通信を可能にする、ブリッジ。